(57)【要約】【課題】  日記データを日記管理サーバにアップロードして公開できるとともに、自分の作成済みの日記データの全体を日記管理サーバにアクセスすることなく確認できる移動体通信端末及び日記管理サーバを提供する。【解決手段】  本移動体通信端末（携帯電話機）１０は、記憶手段１０１と入力手段１０２と保存手段１０３と表示手段１０４とアップロード指示手段１０５と送信手段１０６とを備える。保存手段１０３は、入力手段１０２で入力された日記データと日付データとを互いに対応付けて記憶手段１０１の日記データベースに追加して保存する。送信手段１０６は、アップロード指示手段１０５の操作によってアップロードが指示されたときに、表示手段１０４に表示されている日記データを日付データとともに、通信ネットワーク上の日記管理サーバに送信する。【選択図】  図４
2006024019.tif 000002
【特許請求の範囲】
【請求項１】
通信ネットワークを介して通信可能な移動体通信端末であって、
複数の日付の日記データについて日記データベースを構成するように日記データと日付データとを記憶する記憶手段と、
日記データを入力するための入力手段と、
上記入力手段で入力された日記データと日付データとを互いに対応付けて上記記憶手段の日記データベースに追加して保存する保存手段と、
日記データを表示する表示手段と、
通信ネットワーク上に設けられた日記管理サーバに対する日記データのアップロードを指示するためのアップロード指示手段と、
上記アップロード指示手段の操作によって上記アップロードが指示されたときに、上記表示手段に表示されている日記データを日付データとともに上記日記管理サーバに送信する送信手段とを備えたことを特徴とする移動体通信端末。
【請求項２】
請求項１の移動体通信端末において、
上記表示手段は、上記日記データを表示している画面に、上記アップロードを指示する操作に用いる選択キーを表示し、
上記送信手段は、上記アップロード指示手段の操作によって上記選択キーが選択されたときに、上記日記データ及び日付データを送信することを特徴とする移動体通信端末。
【請求項３】
請求項１又は２の移動体通信端末において、
画像を撮影する撮像手段を備え、
上記保存手段は、上記入力手段で入力したテキストデータとともに上記撮像手段で撮影した画像データを保存することを特徴とする移動体通信端末。
【請求項４】
請求項１乃至３のいずれかの移動体通信端末において、
上記表示手段は、上記日記管理サーバで公開される画面と同じレイアウトで上記日記データを表示することを特徴とする移動体通信端末。
【請求項５】
請求項１乃至３のいずれかの移動体通信端末において、
上記日記管理サーバにおける日記データを公開するか否かを指定するための個別公開可否指定手段を設け、
上記送信手段は、上記個別公開可否指定手段の操作によって生成された個別公開可否データを上記日記データとともに送信することを特徴とする移動体通信端末。
【請求項６】
請求項１乃至３のいずれかの移動体通信端末において、
上記入力手段は、上記日記データごとにその日記データの種類を分類するカテゴリーを入力可能に構成され、
上記保存手段は、上記入力手段の操作によって入力されたカテゴリーのデータを上記複数の日記データそれぞれに対応付けて上記記憶手段に記憶し、
上記送信手段は、上記日記データとともに上記カテゴリーデータを送信することを特徴とする移動体通信端末。
【請求項７】
請求項６の移動体通信端末において、
上記日記管理サーバにおける上記カテゴリーごとに日記データを公開するか否かを指定するためのカテゴリー別公開可否指定手段を備え、
上記送信手段は、上記カテゴリー別公開可否指定手段の操作によって生成されたカテゴリー別公開可否データを、移動体通信ネットワークを介して上記日記管理サーバに送信することを特徴とする移動体通信端末。
【請求項８】
請求項１乃至７のいずれかの移動体通信端末において、
日記データの同期処理を指示するための同期処理指示手段と、
上記同期処理指示手段の操作によって上記同期処理が指示されたときに、上記日記管理サーバに同期処理指令を送信し、上記記憶手段の日記データベースと上記日記管理サーバの日記データベースとの間で日記データの同期処理を実行する同期処理手段とを備えたことを特徴とする移動体通信端末。
【請求項９】
複数の通信端末と、公衆の通信ネットワーク上に設けられた日記管理サーバとを備え、該日記管理サーバは、各通信端末で作成された日記データを通信ネットワークを介して受信して日記データベースに保存するとともに、日記データ要求を受信したときに該日記データ要求に対応する日記データを該日記データベースから読み出して送信することにより、各通信端末に対応する日記データを公開する日記作成システムであって、
上記通信端末が、請求項１乃至８のいずれかの移動体通信端末であることを特徴とする日記作成システム。
【請求項１０】
請求項９の日記作成システムにおいて、
上記通信端末は、請求項５又は７の移動体通信端末であり、
上記日記管理サーバは、上記移動体通信端末から受信した個別公開可否データ又は上記カテゴリー別公開可否データに基づいて、公開対象の特定の日記データ、又は公開対象の特定にカテゴリーに含まれる日記データについてのみ公開することを特徴とする日記作成システム。
【請求項１１】
請求項９又は１０の日記作成システムにおいて、
上記通信端末は、請求項８の移動体通信端末であり、
上記日記管理サーバは、上記移動体通信端末から受信した同期処理指令に基づいて、該日記管理サーバ内の日記データベースと該移動体通信端末との間で日記データの同期処理を実行することを特徴とする日記作成システム。
【発明の詳細な説明】
【技術分野】
【０００１】
本発明は、テキストや画像からなる日記データを作成して保存することができる携帯電話機等の移動体通信端末、及びこの移動体通信端末と日記管理サーバとを備えた日記作成システムに関するものである。
【背景技術】
【０００２】
従来、この種の移動体通信端末として、毎日の出来事や撮像した画像を入力した日記データを作成し、作成済みの通信ネットワーク上に設けられた日記管理サーバにアップロードできるものが知られている（特許文献１、特許文献２参照）。
例えば、特許文献１に記載の移動体通信端末（携帯端末）では、日記管理サーバに移動体通信ネットワークを介してアクセスした状態で、利用者が日記データを入力したり訂正したりする日記データの作成作業を行い、作成済みの日記データを日記管理サーバに送信する。また、特許文献２に記載の移動体通信端末（携帯電話）では、利用者が日記データの作成作業を行った後、作成済みの日記データを電子メールを用いて送信する。
上記日記管理サーバに送信された日記データは各利用者の日記データベースに保存され、第三者が自由にアクセスして閲覧することができる。利用者が自分の作成した作成済みの日記データベース全体を確認するときも、移動体通信ネットワークを介して日記管理サーバにアクセスして閲覧する。
【特許文献１】特開２００２−３７３１３５号公報
【特許文献２】特開２００３−１７３３０９号公報
【発明の開示】
【発明が解決しようとする課題】
【０００３】
しかしながら、上記従来の移動体通信端末では、自分が作成した作成済みの日記データベース全体を確認するためには、移動体通信ネットワークを介して日記管理サーバにアクセスする必要があるという問題点があった。
【０００４】
本発明は以上の問題点に鑑みなされたものである。その目的は、移動体通信端末で作成した日記データを日記管理サーバにアップロードして公開できるとともに、自分の作成済みの日記データの全体を日記管理サーバにアクセスすることなく確認できる移動体通信端末及び日記管理サーバを提供することである。
【課題を解決するための手段】
【０００５】
上記目的を達成するために、請求項１の発明は、通信ネットワークを介して通信可能な移動体通信端末であって、複数の日付の日記データについて日記データベースを構成するように日記データと日付データとを記憶する記憶手段と、日記データを入力するための入力手段と、上記入力手段で入力された日記データと日付データとを互いに対応付けて上記記憶手段の日記データベースに追加して保存する保存手段と、日記データを表示する表示手段と、通信ネットワーク上に設けられた日記管理サーバに対する日記データのアップロードを指示するためのアップロード指示手段と、上記アップロード指示手段の操作によって上記アップロードが指示されたときに、上記表示手段に表示されている日記データを日付データとともに上記日記管理サーバに送信する送信手段とを備えたことを特徴とするものである。
この移動体通信端末では、利用者が入力手段により日記データを入力すると、その入力された日記データが日付データとともに記憶手段の日記データベースに追加して保存される。このように利用者が作成した日記データが、移動体通信端末内の日記データベースに追加して保存されるので、利用者は、日記データベースに保存されている作成済みの複数の日記データを読み出して確認することができる。
また、表示手段により、上記入力手段で入力した日記データや上記記憶手段の日記データベースに保存した日記データを表示することができる。そして、利用者は、表示手段に表示された日記データを確認し、アップロード指示手段を操作して日記データのアップロードを指示する。このアップロード指示手段の操作によってアップロードが指示されたときに、表示手段に表示されている日記データが日付データとともに日記管理サーバに送信される。日記管理サーバは、移動体通信端末から送信された日記データ及び日付データを受信し、外部から閲覧できる状態で当該日記管理サーバ内の日記データベースに保存することができる。
【０００６】
また、請求項２の発明は、請求項１の移動体通信端末において、上記表示手段は、上記日記データを表示している画面に、上記アップロードを指示する操作に用いる選択キーを表示し、上記送信手段は、上記アップロード指示手段の操作によって上記選択キーが選択されたときに、上記日記データ及び日付データを送信することを特徴とするものである。
この移動体通信端末では、利用者がアップロード指示手段によって表示手段の画面上の選択キーを選択する操作を行うと、その選択操作に基づいて、表示手段に表示されている日記データが日付データとともに日記管理サーバに送信される。
【０００７】
また、請求項３の発明は、請求項１又は２の移動体通信端末において、画像を撮影する撮像手段を備え、上記保存手段は、上記入力手段で入力したテキストデータとともに上記撮像手段で撮影した画像データを保存することを特徴とするものである。
この移動体通信端末では、日記のデータとして、テキストデータだけでなく、撮像手段で撮影した画像を保存できるので、旅行先の風景や出会った人物等のより視覚的な内容を日記に盛り込むことができる。
なお、上記撮像手段で画像を撮影したときの位置情報を取得する位置情報取得手段を備えてもよい。この場合は、上記画像を撮影したときの位置情報を、利用者の手入力ではなく、位置取得手段で取得して画像と一緒に保存できる。従って、画像を撮影したときの位置情報を利用者が確認してその位置情報を手入力するという作業が不要になる。
【０００８】
また、請求項４の発明は、請求項１乃至３のいずれかの移動体通信端末において、上記表示手段は、上記日記管理サーバで公開される画面と同じレイアウトで上記日記データを表示可能であることを特徴とするものである。
この移動体通信端末では、日記データを日記管理サーバに送信する前に、日記管理サーバで公開される画面と同じレイアウトで日記データを表示手段に表示することができる。
【０００９】
また、請求項５の発明は、請求項１乃至３のいずれかの移動体通信端末において、上記日記管理サーバにおける日記データを公開するか否かを指定するための個別公開可否指定手段を設け、上記送信手段は、上記個別公開可否指定手段の操作によって生成された個別公開可否データを上記日記データとともに送信することを特徴とするものである。
この移動体通信端末では、利用者が個別公開可否指定手段を操作して日記データを公開するか否かを指定する。この個別公開可否指定手段の操作によって生成された個別公開可否データは、該当する日記データとともに日記管理サーバに送信される。日記管理サーバは、移動体通信端末から受信した個別公開可否データに基づいて、公開対象になっている日記データのみを公開することができる。
【００１０】
また、請求項６の発明は、請求項１乃至３のいずれかの移動体通信端末において、上記入力手段は、上記日記データごとにその日記データの種類を分類するカテゴリーを入力可能に構成され、上記保存手段は、上記入力手段の操作によって入力されたカテゴリーのデータを上記複数の日記データそれぞれに対応付けて上記記憶手段に記憶し、上記送信手段は、上記日記データとともに上記カテゴリーデータを送信することを特徴とするものである。
この移動体通信端末では、利用者が入力手段を操作して日記を分類するカテゴリーを入力する。この利用者が入力したカテゴリーのデータは、該当する日記データとともに日記管理サーバに送信される。日記管理サーバは、移動体通信端末から受信した日記データをカテゴリーごとに分類して保存することができる。
【００１１】
また、請求項７の発明は、請求項６の移動体通信端末において、上記日記管理サーバにおける上記カテゴリーごとに日記データを公開するか否かを指定するためのカテゴリー別公開可否指定手段を備え、上記送信手段は、上記カテゴリー別公開可否指定手段の操作によって生成されたカテゴリー別公開可否データを、移動体通信ネットワークを介して上記日記管理サーバに送信することを特徴とするものである。
この移動体通信端末では、利用者がカテゴリー別公開可否指定手段を操作して各カテゴリーごとに日記データを公開するか否かを指定する。このカテゴリー別公開可否指定手段の操作によって生成されたカテゴリー別公開可否データが日記管理サーバに送信される。日記管理サーバは、移動体通信端末から受信したカテゴリー別公開可否データに基づいて、公開対象になっているカテゴリーに含まれる日記データのみを公開することができる。
【００１２】
また、請求項８の発明は、請求項１乃至７のいずれかの移動体通信端末において、日記データの同期処理を指示するための同期処理指示手段と、上記同期処理指示手段の操作によって上記同期処理が指示されたときに、上記日記管理サーバに同期処理指令を送信し、上記記憶手段の日記データベースと上記日記管理サーバの日記データベースとの間で日記データの同期処理を実行する同期処理手段とを備えたことを特徴とするものである。
この移動体通信端末では、利用者が同期処理指示手段を操作することにより、日記データの同期処理を指示する。この同期処理指示手段の操作によって同期処理が指示されたときに、日記管理サーバに同期処理指令が送信される。この同期処理指令を受信した日記管理サーバ内の日記データベースと、移動体通信端末の記憶手段の日記データベースとの間で日記データの同期処理を実行することにより、各日記データベースにおける当該利用者に関する日記データを最新状態にすることができる。
【００１３】
また、請求項９の発明は、複数の通信端末と、公衆の通信ネットワーク上に設けられた日記管理サーバとを備え、該日記管理サーバは、各通信端末で作成された日記データを通信ネットワークを介して受信して日記データベースに保存するとともに、日記データ要求を受信したときに該日記データ要求に対応する日記データを該日記データベースから読み出して送信することにより、各通信端末に対応する日記データを公開する日記作成システムであって、上記通信端末が、請求項１乃至８のいずれかの移動体通信端末であることを特徴とするものである。
この日記作成システムの移動体通信端末では、利用者が入力手段により日記データを入力すると、その入力された日記データが日付データとともに記憶手段の日記データベースに追加して保存される。このように利用者が作成した日記データが、移動体通信端末内の日記データベースに追加して保存されるので、利用者は、日記データベースに保存された作成済みの複数の日記データを読み出して確認することができる。
また、表示手段により、上記入力手段で入力した日記データや上記記憶手段の日記データベースに保存した日記データを表示することができる。そして、利用者は、表示手段に表示された日記データを確認し、アップロード指示手段を操作して日記データのアップロードを指示する。この指示操作に基づいて、表示手段に表示されている日記データが日付データとともに日記管理サーバに送信される。日記管理サーバは、移動体通信端末から送信された日記データ及び日付データを受信し、外部から閲覧できる状態で当該日記管理サーバ内の日記データベースに保存することができる。
【００１４】
また、請求項１０の発明は、請求項９の日記作成システムにおいて、上記通信端末は、請求項５又は７の移動体通信端末であり、上記日記管理サーバは、上記移動体通信端末から受信した個別公開可否データ又は上記カテゴリー別公開可否データに基づいて、公開対象の特定の日記データ、又は公開対象の特定にカテゴリーに含まれる日記データについてのみ公開することを特徴とするものである。
この日記作成システムで請求項５の移動体通信端末を用いる場合は、利用者が入力手段を操作して日記データに対応する個別公開可否データを入力する。この利用者が入力した個別公開可否データは、該当する日記データとともに日記管理サーバに送信される。日記管理サーバは、移動体通信端末から受信した個別公開可否データに基づいて、公開対象になっている日記データのみを公開することができる。
一方、請求項７の移動体通信端末を用いる場合は、利用者が入力手段を操作して各カテゴリーに対応するカテゴリー別公開可否データを入力する。この利用者が入力したカテゴリー別公開可否データは日記管理サーバに送信される。日記管理サーバは、移動体通信端末から受信したカテゴリー別公開可否データに基づいて、公開対象になっているカテゴリーに含まれる日記データのみを公開することができる。
【００１５】
また、請求項１１の発明は、請求項９又は１０の日記作成システムにおいて、上記通信端末は、請求項８の移動体通信端末であり、上記日記管理サーバは、上記移動体通信端末から受信した同期処理指令に基づいて、該日記管理サーバ内の日記データベースと該移動体通信端末との間で日記データの同期処理を実行することを特徴とするものである。
この日記作成システムの移動体通信端末では、利用者が同期処理指示手段を操作することにより、日記データの同期処理を指示する。この同期処理指示手段による指示操作に基づいて、日記管理サーバに同期処理指令が送信される。この同期処理指令を受信した日記管理サーバ内の日記データベースと、移動体通信端末の記憶手段の日記データベースとの間で日記データの同期処理を実行することにより、各日記データベースにおける当該利用者に関する日記データを最新状態にすることができる。
【発明の効果】
【００１６】
請求項１乃至１１の発明によれば、利用者が作成した日記データを、移動体通信端末内の日記データベースに追加して保存できるので、利用者は、日記データベースに保存されている作成済みの複数の日記データを読み出して確認することができる。従って、利用者は、自分の作成済みの日記データの全体を日記管理サーバにアクセスすることなく確認できる。しかも、利用者が移動体通信端末で作成した日記データを、日記管理サーバにアップロードして公開できるという効果がある。
特に、請求項２の発明によれば、表示手段の画面上に表示した選択キーの選択操作のみで、移動体通信端末で作成した日記データを日記管理サーバに送信してアップロードできるという効果がある。
特に、請求項３の発明によれば、テキストデータに加えて撮像手段で撮影した画像を保存できるので、旅行先の風景や出会った人物等のより視覚的な内容を日記に盛り込むことができるという効果がある。
特に、請求項４の発明によれば、日記データを日記管理サーバに送信する前に、日記管理サーバで公開される画面と同じレイアウトで日記データを表示手段に表示することができるので、実際に公開される日記の様子を公開前に確認できるという効果がある。
特に、請求項５及び１１の発明によれば、日記管理サーバにおいて、公開対象になっている日記データのみを公開できるようになるという効果がある。
特に、請求項６の発明によれば、日記管理サーバにおいて、移動体通信端末から受信した日記データをカテゴリーごとに分類して保存することができるので、日記データの検索等の公開時にデータ処理に用いることができるようになるという効果がある。
特に、請求項７及び１０の発明によれば、日記管理サーバにおいて、公開対象になっているカテゴリーに含まれる日記データのみを公開できるようになるという効果がある。
特に、請求項８及び１１の発明によれば、利用者が任意のタイミングで日記データの同期処理を指示して実行し、移動体通信端末及び日記管理サーバそれぞれの日記データベースにおける当該利用者の日記データを最新状態にすることができるという効果がある。
【００１７】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone Service）、自動車電話機等の通話機能を有する電話機が挙げられる。また、この「情報通信端末」としては、上記電話機のほか、通話機能を有するＰＤＡ（Personal Digital Assistance）等の通信端末も挙げられる。
また、上記移動体通信端末及び日記管理サーバにおける制御は、その移動体通信端末及び日記管理サーバそれぞれに設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【００１８】
また、上記移動体通信端末における表示手段は、上記日記データが入力されている日記有りの日付と、上記日記データが入力されていない日記無しの日付とを識別可能に表示するカレンダー表示可能に構成してもよい。この場合、日記有りの日付部分についてはその日の日記データを呼び出して表示するためのリンク情報が設定される。また、日記有りの日付については、更に未読と既読とを識別可能に表示してもよい。
この移動体通信端末の場合は、表示手段に表示されたカレンダー表示の日付の日記有り／無しの表示を見ることにより、日記データが入力されている日を一目で確認できる。また、カレンダー表示の日記有りの日付部分を利用者が呼び出して指示することにより、その日の日記データを表示して閲覧できる。更に、カレンダー表示の日記有りの日付については、更に未読と既読とを識別可能に表示しているので、未読の日を素早く表示できる。
【発明を実施するための最良の形態】
【００１９】
以下、本発明を移動体通信端末としての携帯電話機及びその携帯電話機を用いた日記作成システムに適用した実施形態について説明する。
図１は本実施形態に係る携帯電話機を用いた日記作成システムの全体の概略構成図である。この日記作成システムは、携帯電話機１０と、移動体通信ネットワークとしての携帯電話通信網２０と、携帯電話通信網２０に設けられている日記管理サーバ３０とを備えている。携帯電話通信網２０は基地局、交換機、専用線、ルータ、ファイヤーウォール等で構成されている。また、この携帯電話通信網２０には、日記管理サーバ３０のほか、位置登録サーバ４０も設けられている。各サーバ３０，４０は、単体のコンピュータ装置で構成してもいいし、複数の機能をそれぞれ受け持つ複数台のコンピュータをネットワークで結んで構成してもよい。
【００２０】
上記日記管理サーバ３０は、日記データと日付データとを互いに対応付けて保存した日記データベースを備えている。また、日記管理サーバ３０は、各携帯電話機１０からアクセス可能なＷＥＢサーバとしての機能を有し、携帯電話機１０から送信されてきた日記データを受信し、日記データベースに追加するように保存する。更に、日記管理サーバ３０は、携帯電話機１０から送信されてきた日記閲覧要求に基づいて、閲覧要求された特定の日記データを日記データベースから読み出し、携帯電話機１０に返信する処理を実行する。また、日記管理サーバ３０は、携帯電話機１０から送信されてきた日記編集要求に基づいて、日記データベース内の特定の日記データを編集する処理を実行する。
【００２１】
なお、本実施形態では、日記管理サーバ３０が日記データベースを管理する機能とともに日記データを公開する機能も有しているが、日記データを公開するサーバを別に設けてもよい。例えば、携帯電話通信網２０にゲートウェイ装置２１，５１を介して接続されているインターネット５０上に公開された一般公開用ＷＥＢサーバ６０を、日記データを公開するサーバとして用いてもよい。この場合は、日記管理サーバ３０が携帯電話機１０から新規の日記データを受信するなど日記データベース内のデータに変更があったときには、日記管理サーバ３０から変更対象のデータを所定の形式に変換して一般公開用ＷＥＢサーバ６０にアップロードする。また、携帯電話通信網２０と直接通信可能な携帯電話機１０だけでなく、インターネット５０に接続可能な一般のパソコンなどから一般公開用ＷＥＢサーバ６０にアクセスして日記データを閲覧したり追加・編集したりすることができる。一般公開用ＷＥＢサーバ６０が日記データを追加・編集を受けた場合は、その追加・編集の情報が、一般公開用ＷＥＢサーバ６０から日記管理サーバ３０へ送信される。
また、上記日記管理サーバ３０のデータと一般公開用ＷＥＢサーバ６０のデータとの間でデータの同期処理を行い、一般公開用ＷＥＢサーバ６０を日記管理サーバ３０のミラーサーバとして動作させてもよい。
【００２２】
上記位置登録サーバ４０は、各携帯電話機１０の位置している現在位置の情報すなわち各携帯電話機１０が位置している管理エリアの位置情報を登録して管理するサーバである。この管理エリアは、各携帯電話機と無線通信する基地局が管轄する一つのセルからなるエリアであっていいし、隣接する複数のセルを一つのグループとして管理されるエリアであってもよい。一つの管理エリアの典型的なサイズは数ｋｍ〜数百ｍである。上記位置登録サーバ４０に対する各携帯電話機１０の位置登録は、電源ＯＮ時に、定期的に、及び携帯電話機１０が位置するセルが変わるたびに行われる。
【００２３】
図２は、上記日記管理サーバ３０の機能ブロック図である。この日記管理サーバ３０は、システムバス、ＣＰＵ、ＲＡＭやＲＯＭ等からなる内部メモリー、ハードディスクドライブ（ＨＤＤ）や光ディスクドライブ等からなる外部記憶装置、各携帯電話機１０と通信するための携帯電話通信網用の通信装置等を備えている。この日記管理サーバ３０は、ＣＰＵ等からなるハードウェア上で所定のプログラムを実行することにより、日記データ記憶手段３０１、日記データ受信手段３０２、日記データ保存手段３０３、閲覧要求受信手段３０４、日記データ検索手段３０５、日記データ送信手段３０６、編集指令受信手段３０７、日記データ編集処理手段３０８等の各機能を実現している。
【００２４】
上記日記データ記憶手段３０１は内部メモリーや外部記憶装置等で構成され、各利用者の日記データと日付データとを互いに対応付けて蓄積した日記データベースを記憶する。
表１は、日記データ記憶手段３０２に記憶されている日記データベースのメインデータテーブルの一例を示している。この例では、データ項目として、日付データ、日記データ、利用者情報としての加入者ＩＤ及び電話番号、個別公開可否データ（「１」又は「０」）、カテゴリーＩＤ等が設定されている。日記データとしては、テキスト（文字）データ、画像ファイル情報、写真画像を撮影した場所の位置情報等が記憶されている。個別公開可否データは、日記データを公開するか否かを指定するデータである。カテゴリーＩＤは、日記データの種類を分類するカテゴリーを指定するためのデータである。
【表１】
2006024019.tif 000003
【００２５】
上記日記データベースは、上記メインテーブルのほか、日記データの種類を分類するカテゴリーを管理するためのカテゴリー管理テーブルや、利用者ごとの設定項目を管理する利用者管理テーブルも有している。
表２はカテゴリー管理テーブルの一例である。この例では、「健康」、「ランチ」、「社会問題」及び「旅行」がデフォルトのカテゴリーとして設定され、そのほかにユーザ定義のカテゴリーを２種類設定できるようになっている。また、表２の例では、カテゴリーごとに日記データを公開するか否かを指定するカテゴリー別公開可否データ（「１」又は「０」）も設定できる。
表３は、日記データベースを構成するデータテーブルの一つである利用者情報テーブルの一例である。この例では、加入者ＩＤ及び電話番号に対応付けて、カテゴリーのユーザ定義やカテゴリーごとの公開（１）／非公開（０）を設定できる。また、カテゴリーのユーザ定義は２種類設定でき、例えば表中のＩＤ「１」の利用者の場合、ユーザ定義カテゴリーとして「趣味」及び「デート」が設定されている。
【表２】
2006024019.tif 000004
【表３】
2006024019.tif 000005
【００２６】
上記日記データ受信手段３０２は携帯電話通信網用の通信装置及びＣＰＵ等で構成され、各携帯電話機１０と通信することにより、各携帯電話機１０から携帯電話通信網２０を介して日記データを日付データとともに受信する。
上記日記データ保存手段３０３はＣＰＵ等で構成され、日記データ受信手段３０２で受信された日記データや日付データ等を日記データ記憶手段の日記データベースに保存する。この日記データ等は、表１に示すように各利用者（加入者、電話番号）に対応付けて保存される。
【００２７】
上記閲覧要求受信手段３０４は携帯電話通信網用の通信装置及びＣＰＵ等で構成され、各携帯電話機１０と通信することにより、各携帯電話機１０から携帯電話通信網２０を介して日記データの閲覧を要求する閲覧要求指令を受信する。
上記日記データ検索手段３０５はＣＰＵ等で構成され、携帯電話機１０から受信した閲覧要求に基づいて、特定の利用者及び日付に対応する日記データを日付データなどと一緒に日記データ記憶手段（日記データベース）３０１から抽出するように、日記データの検索処理を行う。
上記日記データ送信手段３０６は、日記データ検索手段３０５で検索して抽出した日記データを日付データと一緒に、上記閲覧要求指定を送信してきた携帯電話機１０に対して送信する。
【００２８】
上記編集指令受信手段３０７は携帯電話通信網用の通信装置及びＣＰＵ等で構成され、各携帯電話機１０と通信することにより、各携帯電話機１０から携帯電話通信網２０を介して日記データの編集を要求する編集指令を受信する。日記データの編集としては、日記データのテキスト部分の修正・削除、写真画像の置換・削除、位置情報の修正などがある。これらの編集に必要なテキストデータや画像データ等の編集用データは、上記編集指令とともに受信する。
上記日記データ編集処理手段３０８はＣＰＵ等で構成され、編集指令受信手段３０７で受信した編集指令及び編集用データに基づいて、登録済みの日記データのテキスト部分の修正・削除、写真画像の置換・削除、位置情報の修正等の処理を実行する。
【００２９】
また、上記編集指令受信手段３０７は、日記データを閲覧した利用者が携帯電話機１０で入力したメッセージデータを、公開されている日記データに対する第三者からのレスポンスとして受信することもできる。上記日記データ編集処理手段３０８は、編集指令受信手段３０７で受信したメッセージデータを、対応する日記データに関連付けて保存する。これにより、メッセージデータが日記データとともに閲覧可能になっている。
【００３０】
図３は、本実施形態で用いる携帯電話機１０のハードウェア構成の一例を示すブロック図である。この携帯電話機１０は、制御部１１１、内部メモリー１１２、通信手段としての無線通信部１１３及びアンテナ１１４を備えている。また、制御部１１１には、音声処理部１１５を介して音声入力手段としてのマイク１１６及び音出力手段としてのスピーカ１１７が接続され、画像処理部１１８を介して表示部１１９が接続され、更にキー操作部１２０が接続されている。また、上記携帯電話機１０は、外部記憶手段としてのメモリーカード１２１が着脱可能なメモリーカードＩ／Ｏ部１２２と、撮像デバイス１３０とを備えている。
【００３１】
上記制御部１１１は例えばＣＰＵ、キャッシュメモリ、システムバス等で構成され、所定の制御プログラムを実行することにより内部メモリー１１２や無線通信部１１３等の各部との間でデータの送受信を行ったり各部を制御したりする。また、この制御部１１１は、メモリーカード１２１が装着されるメモリーカードＩ／Ｏ部１２２に接続され、メモリーカード１２１との間のデータ移動の制御を行う制御手段としても用いられる。
【００３２】
上記内部メモリー１１２及びメモリーカード１２１は例えばＲＡＭやＲＯＭなどの半導体メモリーで構成され、制御部１１１で実行する制御プログラムや各種データを記憶するものである。メモリーカード１２１としては、ＳＤメモリーカードのほか、ＣＦ（コンパクトフラッシュ（登録商標））メモリーカード、スマートメディア、メモリースティック、ＭＭＣ（マルチメディアカード）等が挙げられる。
【００３３】
上記無線通信部１１３は制御部１１１で制御され、アンテナ１１４を介して、所定の通信方式により携帯電話通信網２０の基地局との間で無線通信を行うものである。この無線通信により、特定の携帯電話機等との間で音声電話通信を行ったり、電子メールの送受信や上記日記管理サーバ３０との間の各種情報の送受信のためのデータ通信を行ったりすることができる。
上記音声処理部１１５は、マイク１１６から入力された送話音声信号を所定方式で符号化して制御部１１１に送る。また、この音声処理部１１５は、無線通信部１１３で受信した受話音声信号を復号化してスピーカ１１７から出力する。
上記画像処理部１１８は、無線通信部１１３で受信した画像データや、内部メモリー１１２に記憶されているアイコンやメニュー等の画像データを処理し、液晶ディスプレイ（ＬＣＤ）等からなる表示部１１９に表示させる。
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。
【００３４】
上記撮像デバイス１３０としては、例えばＣＣＤ（Charge Coupled Device）カメラやＣＭＯＳカメラを用いることができる。また、使用環境に応じて、信号処理機能を備えた高速撮像が可能な人工網膜カメラや、赤外線やガンマ線等の可視光線以外の波長領域に感度を有するカメラを用いてもよい。この撮像デバイス１３０は、人物や風景等の写真画像を撮影したり、接写機能を用いてコード画像を撮影したりするときに用いられる。撮像デバイス１３０で撮影した写真画像は、日記データの一部として用いることができる。
【００３５】
図４は、本実施形態の携帯電話機１０の機能ブロック図である。携帯電話機１０は、図３に示すハードウェア上で所定のプログラムを実行することにより、記憶手段１０１、入力手段１０２、保存手段１０３、表示手段１０４、アップロード指示手段１０５、送信手段１０６、撮像手段１０７、位置情報取得手段１０８、個別公開可否指定手段１０９及びカテゴリー別公開可否指定手段１１０の各機能を実現している。
【００３６】
上記記憶手段１０１は上記内部メモリー１１２及びメモリーカード１２１等で構成され、複数の日付の日記データについて日記データベースを構成するように日記データと日付データとを互いに対応付けて記憶する。
表４は、記憶手段１０１に記憶されている日記データベースのメインデータテーブルの一例を示している。
【表４】
2006024019.tif 000006
【００３７】
上記入力手段１０２は上記キー操作部１２０等で構成され、利用者が日記データを入力するときに操作される。
上記保存手段１０３は上記制御部１１１等で構成され、上記入力手段１０２で入力された日記データと日付データとを互いに対応付けて、上記記憶手段１０１の日記データベースに追加して保存する。
上記表示手段１０４は上記画像処理部１１８及び表示部１１９等で構成され、制御部１１１によって上記記憶手段１０１の日記データベースから読み出された日記データを表示する表示部１１９の画面に表示する。
上記アップロード指示手段１０５は上記キー操作部１２０等で構成され、携帯電話通信網２０上に設けられた日記管理サーバ３０に対する日記データのアップロードを指示するときに操作される。
上記送信手段１０６は制御部１１１及び無線通信部１１３等で構成され、上記アップロード指示手段１０５による指示操作に基づいて、上記表示手段１０４に表示されている日記データを日付データとともに上記日記管理サーバ３０に送信する。
【００３８】
上記撮像手段１０７は上記撮像デバイス１３０等で構成され、風景や人物等の写真画像を撮影するときに用いられる。この撮像手段１０７を用いる場合は、上記保存手段１０３は、日記データとして、上記入力手段１０２で入力したテキストデータとともに撮像手段１０７で撮影した写真画像の画像データを、上記記憶手段１０１の日記データベースに追加して保存する。
【００３９】
上記位置情報取得手段１０８は制御部１１１及び無線通信部１１３等で構成され、上記写真画像を撮影するときの携帯電話機１０の位置情報を取得する。本実施形態では、携帯電話通信網２０上の情報提供サーバから地域情報等の提供対象の情報とともに送信されてくる携帯電話機１０の現在位置の位置情報を受信して取得している。この受信した位置情報は内部メモリー１１２の所定の記憶領域に保存され、日記データの一部として使用できるようにしている。なお、携帯電話機１０が位置する現在位置の位置情報は、携帯電話機１０から受信して取得する代わりに、携帯電話機１０の移動機番号や加入者番号等の端末識別情報に基づいて上記位置登録サーバ４０から取得するようにしてもよい。
【００４０】
ここで、上記表示手段１０４は、日記管理サーバ３０にアクセスして閲覧するときの日記公開画面の様子をいつも確認できるように、日記管理サーバ３０で公開される画面と同じレイアウトで日記データを表示する。
また、表示手段１０４は、日記データを表示している表示部１１９の画面に、上記アップロードを指示するための選択キーの画像を表示する。この場合、上記送信手段１０６は、アップロード指示手段１０５によって利用者が上記選択キーを選択する操作に基づいて、日記データ及び日付データを送信する。
なお、上記選択キーの画像は、ポインティングデバイス等を用いたクリック操作でアップロードを指示するようなものであってもよい。この場合、上記送信手段１０６は、アップロード指示手段１０５によって利用者が上記選択キーの画像をクリックして選択する操作に基づいて、日記データ及び日付データを送信する。
【００４１】
また、上記入力手段１０２は、上記日記データの種類を分類するカテゴリーを入力することもできる。この入力手段１０２で入力されたカテゴリーのデータは、上記複数の日記データそれぞれに対応付けて上記記憶手段１０１の日記データベースに記憶される。そして、このカテゴリーのデータを入力したときは、上記送信手段１０６は、日記データとともにカテゴリーデータを送信する。
【００４２】
上記個別公開可否指定手段１０９は上記キー操作部１２０等で構成され、上記日記管理サーバ３０における日記データを公開するか否かを指定するときに操作される。この個別公開可否指定手段１０９の所定の操作により、個別公開可否データが生成される。上記送信手段１０６は、日記データとともに、個別公開可否指定手段１０９の操作によって生成された個別公開可否データを送信する。
また、上記カテゴリー別公開可否指定手段１１０は上記キー操作部１２０等で構成され、日記管理サーバ３０における上記カテゴリーごとに日記データを公開するか否かを指定するときに操作される。このカテゴリー別公開可否指定手段１１０の所定の操作により、カテゴリー別公開可否データが生成される。上記送信手段１０６は、カテゴリー別公開可否指定手段の操作によって生成されたカテゴリー別公開可否データを、携帯電話通信網２０を介して日記管理サーバ３０に送信する。
なお、上記個別公開可否データ及びカテゴリー別公開可否データは、記憶手段１０１に保存するようにしてもよい。
【００４３】
図５は、上記構成の携帯電話機１０で写真画像付きの日記データを作成して送信するときの処理手順の一例を示すフローチャートである。
まず、利用者は、携帯電話機１０のキー操作部１２０を操作してカメラモードを起動し、日記に用いる画像を撮影し（ステップＳ１）、所定のファイル名で保存する（ステップＳ２）。この例では、図６（ａ）に示すように富士山の風景を撮影し、撮影した風景画像１５０を表示部１１９の画面１１９ａに表示して確認した後、「保存」ボタン１５１をクリックして風景画像の画像データをファイル名「fuji0400219.jpg」で保存している。この画像データを保存するときに、その画像を撮影したときの位置情報も自動保存される。
【００４４】
次に、利用者は、キー操作部１２０を操作して図６（ａ）の画面で「日記」ボタン１５２を選択し、表示部１１９の画面１１９ａを、図６（ｂ）に示す日記作成画面に切り換える（ステップＳ３）。この日記作成画面は、画像表示部１５３と、テキスト表示部１５４と、日記データの日記管理サーバ３０へのアップロードを指示をするための選択キーとしての「送信」ボタン１５５が表示されている。また、日記作成画面の画像表示部１５２には、上記撮影した富士山の風景画像が自動的に表示され、テキスト表示部１５４の最上部には、その画像を撮影した月日（図中の例では「２／１９」）が自動的に表示される。この月日のデータは、日記の表題データの一部となる。
【００４５】
次に、利用者は、キー操作部１２０を操作し、テキスト表示部１５４の最上部に、上記月日のデータに続いて表題のデータを入力する（ステップＳ４）。図６（ｂ）の例では、天気の情報「晴」及び画像の情報「富士山」を入力している。そして、上記表題のデータに続いて、日記のテキストデータを入力する。これらのテキストや画像ファイル名などの日記データは、内部メモリー１１２の作業記憶エリアに一旦保存される。
【００４６】
次に、利用者は、図６（ｃ）に示すように日記のテキストデータを入力した後、表示部１１９の画面１１９ａで日記データを確認し、キー操作して「送信」ボタン１５５を選択する（ステップＳ５）。この送信ボタン１５５の選択により、図６（ｄ）に示すように日記データを公開するか否かを指定する画面１５６が表示される。初期設定では、「公開する」になっている。利用者が、「公開する」１５６ａ又は「公開しない」１５６ｂにチェックした後、キー操作して「ＯＫ」ボタン１５７を選択すると、日記データのカテゴリーを指定するための画面１５８が表示される。利用者は、希望のカテゴリーを選択した後、キー操作して「完了」ボタン１５９を選択する。
上記「完了」ボタン１５９の選択により、日記データと日付データ（本例では、２００４年２月１９日という日付のデータ）とを含むメールが自動作成され、日記管理サーバ３０に送信される（ステップＳ６）。このメールは、例えば図７に示すように宛先、表題、本文、添付ファイルの内容を設定され、この内容で日記管理サーバ３０の所定のメールアドレス（図中の例では「diary@aaa.bbb.jp」）宛に送信される。メールの表題は日付データを含む。また、メールの本文は、利用者が入力したメッセージのテキスト、位置情報、公開／非公開情報、及びカテゴリー情報を含む。
上記日記データを含むメールの作成及び送信の処理が実行されているとき、携帯電話機１０の表示部１１９の画面には、送信中である旨を利用者に知らせるメッセージ（例えば「送信中です」というメッセージ）が表示される。
【００４７】
また、上記「完了」ボタン１５９の選択により、表示部１１９の画面１１９ａに表示されている日記データが、携帯電話機１０の内部メモリー１１２又はメモリーカード１２１に設けられている日記データベースに追加保存される（ステップＳ６）。この保存される日記データには、利用者が入力したメッセージのテキスト、位置情報、公開／非公開情報、及びカテゴリー情報が含まれる。
【００４８】
日記管理サーバ３０は、携帯電話機１０から日記データを含むメールを受信すると、メールデータを解析し、日付データ、位置情報、画像データを含む日記データを抽出する。そして、抽出した日記データを日付データと対応付けて、日記管理サーバ３０内の日記データ記憶手段（日記データベース）３０１に保存する。この日記データの保存は、前述の表１に示すように、日記データを送信してきた利用者の加入者ＩＤ及び電話番号に対応付けて行われる。
なお、日記管理サーバ３０が新規の日記データを追加保存したとき、その日記データを送信してきた利用者が予め登録しておいた友人等の他の利用者に、日記データが追加されて更新された旨を通知するメールを自動送信するようにしてもよい。
また、日記データを日記管理サーバ３０で公開せずにインターネット５０上の一般公開用ＷＥＢサーバ６０で公開する場合は、追加になった日記データなどが所定の形式に変換されて日記管理サーバ３０から一般公開用ＷＥＢサーバ６０にアップロードされる。
【００４９】
図８は、携帯電話機１０から過去に作成した日記データを削除するときの処理手順の一例を示すフローチャートである。
まず、利用者は、携帯電話機１０を操作して日記編集モードにした後、図９に示すように削除対象の日記データを表示する（ステップＳ１）。利用者は、削除対象の日記データの内容を確認した後、「削除」ボタン１６０を選択する（ステップＳ２）。この「削除」ボタン１６０の選択により、携帯電話機１０は、削除対象の日記データを特定する情報とともに、削除要求指令を日記管理サーバ３０に送信する（ステップＳ３）。携帯電話機１０は、削除処理が完了した日記管理サーバ３０から削除応答を受信した後、携帯電話機１０内の日記データベースから上記削除対象の日記データを削除し（ステップＳ５）、表示部１１９の画面１１９ａに「削除完了」を表示する。
【００５０】
図１０は、携帯電話機１０から過去に作成した日記データを編集するときの処理手順の一例を示すフローチャートである。
まず、利用者は、削除の場合と同様に、携帯電話機１０を操作して日記編集モードにした後、図９に示すように編集対象の日記データを表示する（ステップＳ１）。利用者は、編集対象の日記データの内容を確認した後、メッセージの内容を修正したり画像を入れ替えたりする等の所望の編集作業を行う（ステップＳ２）。この編集作業が完了した後、利用者は、「完了」ボタン１６１を選択する（ステップ３）。この「完了」ボタン１６１の選択により、前述の新規日記作成時と同様に、編集後の日記データと日付データとを含むメールが自動作成され、日記管理サーバ３０に送信される（ステップＳ４）。さらに、「完了」ボタン１６１の選択により、表示部１１９の画面１１９ａに表示されている編集後の日記データが、携帯電話機１０の内部メモリー１１２又はメモリーカード１２１に設けられている日記データベースに上書き保存される（ステップＳ４）。
【００５１】
図１１は、他の利用者が携帯電話機１０’から日記管理サーバ３０内の日記データを閲覧するときの処理手順の一例を示すシーケンス図である。
上記日記データを作成した利用者以外の他の利用者が日記を閲覧するときは、携帯電話機１０’を操作し、日記管理サーバ３０の所定のＵＲＬにアクセスし、図１２（ａ）に示すようなカレンダー表示形式の閲覧開始ページ１６２を表示させる。このカレンダー表示において、四角「□」で囲まれた日付は、日記データが存在する閲覧可能な日記有りの日付である。また、日記データの既読／未読（新着）が識別できるように、日記有りの日付のうち未読の新着日記データがある日付は色付表示になっている（図１２（ａ）では白黒表示になっているため、グレー表示になっている）。この日記データの既読／未読（新着）等のデータは、携帯電話機１０’で使用するブラウザーソフトが参照可能なクッキー等のデータ記憶領域に保存される。
また、図１２（ａ）のカレンダー表示の閲覧開始ページ１６２において、キー操作して「前へ」ボタン１６３を選択すると、２００４年１月や２００３年１２等の過去の月にさかのぼってカレンダー表示することができる。
【００５２】
次に、利用者は、日記データの閲覧を希望する日付を選択する。この日付の選択により、携帯電話機１０’は、その日付データや日記の作成者である利用者の情報とともに、日記データの閲覧要求を日記管理サーバ３０に送信する。この閲覧要求を受けた日記管理サーバ３０は日記データベースを検索し、公開対象になっている場合は、該当する日記データを読み出して閲覧応答と一緒に携帯電話機１０’へ返信する。
【００５３】
携帯電話機１０’は、日記管理サーバ３０から日記データを受信した後、図１２（ｂ）に示すように日記データを表示する。この日記の表示画面のレイアウトは、前述の日記作成時の画面レイアウトと同じであり、上側に画像表示領域１６４があり、下側にテキスト表示領域１６５がある。
図１２（ｂ）の日記表示画面で利用者が「前へ」ボタン１６６を選択すると、過去の日記データを順次日記管理サーバ３０からダウンロードして閲覧することができる。
また、利用者は、図１２（ｂ）の日記表示画面で「地図を見る」というテキストリンク表示１６７を選択することができる。この選択により、携帯電話機１０’は、画面に表示されている日記データの位置情報に対応した地図データをダウンロードし、その地図画像を表示する。
また、利用者は、図１２（ｂ）の日記表示画面で「レス（２）」というテキストリンク表示１６８を選択することができる。この選択により、携帯電話機１０’は、画面に表示されている日記データに対して他の利用者がアップロードしたメッセージをダウンロードし、そのメッセージを表示する。
【００５４】
以上、本実施形態によれば、利用者が作成した日記データを、携帯電話機１０の内部メモリー１１２又はメモリーカード１２１の日記データベースに追加して保存できるので、利用者は、日記データベースに保存されている作成済みの複数の日記データを読み出して確認することができる。従って、利用者は、自分の作成済みの日記データの全体を日記管理サーバ３０にアクセスすることなく確認できる。しかも、利用者が携帯電話機１０で作成した日記データを、日記管理サーバ３０にアップロード送信して公開できる。
特に、本実施形態によれば、表示部１１９の画面１１９ａ上に表示した「完了」ボタンなどの選択キーの選択操作のみで、携帯電話機１０で作成した日記データを日記管理サーバ３０に送信してアップロードできる。
また、本実施形態によれば、テキストデータに加えて撮像デバイス１３０で撮影した写真画像を保存できるので、旅行先の風景や出会った人物等のより視覚的な内容を日記に盛り込むことができる。
また、本実施形態によれば、日記データを日記管理サーバ３０に送信する前に、日記管理サーバ３０で公開される画面と同じレイアウトで日記データを表示部１１９の画面１１９ａに表示することができるので、実際に公開される日記の様子を公開前に確認できる。
また、本実施形態によれば、日記データごとに、公開するか否かを指定する個別公開可否データを入力して保存し、日記データとともに個別公開可否データを日記管理サーバ３０に送信しているので、日記管理サーバ３０において、公開対象になっている日記データのみを公開できる。
また、本実施形態によれば、日記管理サーバ３０において、携帯電話機１０から受信した日記データをカテゴリーごとに分類して保存することができるので、日記データの検索等の公開時にデータ処理に用いることができる。また、カテゴリーごとに、公開するか否かを指定するカテゴリー別公開可否データを入力して保存し、日記データとともにカテゴリー別公開可否データを日記管理サーバ３０に送信する場合は、日記管理サーバ３０において、公開対象になっているカテゴリーに含まれる日記データのみを公開できる。
【００５５】
なお、上記実施形態では、携帯電話通信網２０側にある情報提供サーバや位置登録サーバ４０から、写真画像を撮影したときの携帯電話機１０の位置情報を取得しているが、利用者がキー操作部１２０から手入力で入力することにより、位置情報を取得してもよい。
また、携帯電話機１０にＧＰＳ（Global Positioning System）を利用して位置情報を取得するようにしてもよい。この場合は、図１３及び図１４に示すように位置登録取得手段１０８として、ＧＰＳアンテナ１３２を有するＧＰＳ受信装置１３１を設ける。このＧＰＳ受信装置１３１は、任意のタイミングで位置情報（緯度、経度）を出力することができる。このＧＰＳ受信装置１３１から出力された位置情報（緯度、経度）を、位置情報ファイル（例えば、「GPSdata.gps」）として所定のメモリー領域に保存することができる。
【００５６】
表５及び表６はそれぞれ、ＧＰＳ受信装置１３１からの位置情報（緯度、経度）を利用する場合の日記データベースのメインデータテーブルの一例を示している。表５は、日記管理サーバ３０の日記データ記憶手段３０２に記憶されているメインデータテーブルであり、表６は、携帯電話機１０の記憶手段１０１に記憶されている日記データベースのメインデータテーブルである。この表５及び表６に示すように、住所表記の位置情報ではなく、ＧＰＳ受信装置１３１で取得した緯度及び経度のデータが位置情報として保存される。
【表５】
2006024019.tif 000007
【表６】
2006024019.tif 000008
【００５７】
また、携帯電話機１０から日記管理サーバ３０に日記データを送信するときは、図１５に示すようにメールの添付ファイルの一つとして、ＧＰＳデータを保存した位置情報ファイル（例えば、「GPSdata.gps」）が添付される。
【００５８】
また、上記実施形態では、日記データをメールに組み込んで日記管理サーバ３０に送信しているが、ＷＥＢサーバ機能を有する日記管理サーバ３０のＣＧＩ（Common Gateway Interface）を利用して所定のデータ保存プログラムを起動するように日記データを送信してもよい。この場合、携帯電話機１０から日記管理サーバ３０にＨＴＴＰ要求メッセージを送信するときに、ＣＧＩに引き渡す日記データを組み込む。この日記データを組み込む方式としては、ＧＥＴ方式やＰＯＳＴ方式を用いることができる。ＧＥＴ方式では、ＨＴＴＰ要求メッセージのＵＲＬの一部として、日記データがエンコードされて組み込まれて送信される。一方、ＰＯＳＴ方式では、ＨＴＴＰ要求メッセージのＵＲＬとは別の標準入力としてエンコードされて送信される。このように日記管理サーバ３０に送信された日記デーはデコードされた後、ＣＧＩで起動されたデータ保存プログラムに渡され、日記データベースに保存される。
【００５９】
また、上記実施形態において、携帯電話機１０内の日記データベースと日記管理サーバ内の日記データベースとの間でデータ同期処理できるように構成してもよい。このデータ同期処理は、例えば利用者が携帯電話機１０の同期処理指示手段としてのキー操作部１２０を操作して日記データの同期処理を指示することで開始される。携帯電話機１０は、キー操作部１２０による指示操作に基づいて、日記管理サーバ３０に同期処理指令を送信する。この同期処理指令には、利用者を識別する電話番号等が付加される。同期処理指令を受信した日記管理サーバ３０は、サーバ内の日記データベースを構成する日記データのうち、当該利用者の日記データについて同期処理可能な状態にする。同期処理が開始されると、日記データを識別するためのＩＤデータを用いて、互いの日記データベースに含まれる日記データをつき合わせる処理を行い、各日記データベースが最新状態になるように日記データの送受信を行う。このように利用者が任意のタイミングで日記データの同期処理を指示して実行することにより、携帯電話機１０及び日記管理サーバ３０それぞれの日記データベースにおける当該利用者の日記データを最新状態にすることができる。
特に、携帯電話機以外のパソコン等から日記管理サーバ３０にアクセスして日記データの新規追加、修正、削除などを行った場合でも、携帯電話機１０内の日記データベースの日記データを最新状態にすることができる。
【図面の簡単な説明】
【００６０】
【図１】本発明の実施形態に係る携帯電話機を用いた日記作成システムの全体の概略構成図。
【図２】日記作成システムを構成する日記管理サーバの機能ブロック図。
【図３】日記作成システムを構成する携帯電話機のハードウェア構成のブロック図。
【図４】同携帯電話機の機能ブロック図。
【図５】携帯電話機で写真画像付きの日記データを作成して送信するときの処理手順のフローチャート。
【図６】（ａ）〜（ｅ）は日記データ作成時の画面遷移の説明図。
【図７】日記管理サーバに送信するメールの内容の説明図。
【図８】携帯電話機から過去に作成した日記データを削除するときの処理手順のフローチャート。
【図９】日記データの削除・編集の画面の説明図。
【図１０】携帯電話機から過去に作成した日記データを編集するときの処理手順のフローチャート。
【図１１】携帯電話機から日記管理サーバ内の日記データを閲覧するときの処理手順のシーケンス図。
【図１２】（ａ）はカレンダー表示形式の閲覧開始ページの説明図。（ｂ）は日記データの閲覧画面の説明図。
【図１３】ＧＰＳ受信装置を備えた携帯電話機のハードウェア構成のブロック図。
【図１４】同携帯電話機の機能ブロック図。
【符号の説明】
【００６１】
１０、１０’    携帯電話機
２０    携帯電話通信網
３０    日記管理サーバ
４０    位置登録サーバ
５０    インターネット
６０    一般公開用ＷＥＢサーバ
【図１】
2006024019.tif 000009
【図２】
2006024019.tif 000010
【図３】
2006024019.tif 000011
【図４】
2006024019.tif 000012
【図５】
2006024019.tif 000013
【図６】
2006024019.tif 000014
【図７】
2006024019.tif 000015
【図８】
2006024019.tif 000016
【図９】
2006024019.tif 000017
【図１０】
2006024019.tif 000018
【図１１】
2006024019.tif 000019
【図１２】
2006024019.tif 000020
【図１３】
2006024019.tif 000021
【図１４】
2006024019.tif 000022